(57)【要約】【課題】観賞魚用水槽の側板に取り付けられ、水槽内の水跳ねを防止する水跳ね防止具を提供する。【解決手段】水跳ね防止具２，３は、四周側板１１，１２，１３，１４及び底板１５を有する水槽１に取り付けられるものであって、前記側板１１，１２，１３，１４の上縁部１６に取付固定される固定部２１，３１と、前記固定部２１，３１から離間した下方位置で前記側板１１，１２，１３，１４の幅方向に延び、先端部２２１，３２１において前記側板１１，１２，１３，１４の内側面Ａに当接するヒレ状片２２，３２と、を備え、前記ヒレ状片２２，３２が可撓性を有する素材からなる。【選択図】図３
2016154476.tif 000002
【特許請求の範囲】
【請求項１】
四周側板及び底板を有する水槽に取り付けられる水跳ね防止具であって、
前記側板の上縁部に取付固定される固定部と、
前記固定部から離間した下方位置で前記側板の幅方向に延び、先端部において前記側板の内側面に当接するヒレ状片と、
を備え、
前記ヒレ状片が可撓性を有する素材からなることを特徴とする水跳ね防止具。
【請求項２】
前記固定部から前記水槽内側に向かって延設され、蓋板を載置可能に形成された蓋支持部を備えることを特徴とする請求項１に記載の水跳ね防止具。
【請求項３】
前記ヒレ状片は、前記先端部へ向かって薄肉に形成されることを特徴とする請求項１または２に記載の水跳ね防止具。
【請求項４】
前記ヒレ状片は、前記側板の幅方向全域に亘って形成されることを特徴とする請求項１〜３のいずれかに記載の水跳ね防止具。
【請求項５】
全体が可撓性を有する素材で形成されてなることを特徴とする請求項１〜４のいずれかに記載の水跳ね防止具。
【請求項６】
全体が透明材料で形成されてなることを特徴とする請求項１〜５のいずれかに記載の水跳ね防止具。
【請求項７】
前記固定部は、取り付けられた際に前記側板の外側面に配される下端部が外方に屈曲して形成されることを特徴とする請求項１〜６のいずれかに記載の水跳ね防止具。
【発明の詳細な説明】
【技術分野】
【０００１】
本発明は、観賞魚用水槽の側板に取り付けて用いられる水跳ね防止具に関する。
【背景技術】
【０００２】
従来、観賞魚や植物などの水棲生物を飼育するための四周側板及び底板を備える水槽において、側板に取り付けられることによって、蓋部を支持固定する蓋支持具が知られている。
【０００３】
特許文献１には、左右側板の上端部に係脱可能な下側にコ字状の溝部及び水槽前後方向に延びる支持部を有する取付部と、前後側板の上端部に係脱可能な下側にコ字状の溝部及び前後方向に延びる段差部を有し、水槽の中間部に前後方向に架けられる直線部と、を備え、左右側板に嵌合された各取付部の支持部と前後側板に嵌合された直線部の段差部によって蓋部の左右両端部を支持する蓋支持具が開示されている。
【先行技術文献】
【特許文献】
【０００４】
【特許文献１】特許第３９７３７４３号
【発明の概要】
【発明が解決しようとする課題】
【０００５】
しかしながら、特許文献１のような蓋支持具の構成では、蓋部を支持することは可能であっても、下側にコ字状に形成された溝部が、嵌合される各側板の内外両面に沿った形状に形成されたものであるため、水槽が揺れるなどして水槽内で水跳ねが発生した場合に、側板と溝部との隙間に入り込んだ水が毛細管現象によって側板に沿って上昇し、更に、側板の外側面に漏れ出てしまうという問題が生じていた。
【課題を解決するための手段】
【０００６】
本発明は、上述した技術背景に鑑み、観賞魚用水槽の側板に取り付けられ、水槽内の水跳ねを防止する水跳ね防止具の提供を目的とする。
【０００７】
即ち、本発明は下記［１］〜［７］に記載の構成を有する。
【０００８】
［１］  四周側板及び底板を有する水槽に取り付けられる水跳ね防止具であって、
前記側板の上縁部に取付固定される固定部と、
前記固定部から離間した下方位置で前記側板の幅方向に延び、先端部において前記側板の内側面に当接するヒレ状片と、
を備え、
前記ヒレ状片が可撓性を有する素材からなることを特徴とする水跳ね防止具。
【０００９】
［２］  前記固定部から前記水槽内側に向かって延設され、蓋板を載置可能に形成された蓋支持部を備えることを特徴とする前項１に記載の水跳ね防止具。
【００１０】
［３］  前記ヒレ状片は、前記先端部へ向かって薄肉に形成されることを特徴とする前項１または２に記載の水跳ね防止具。
【００１１】
［４］  前記ヒレ状片は、前記側板の幅方向全域に亘って形成されることを特徴とする前項１〜３のいずれかに記載の水跳ね防止具。
【００１２】
［５］  全体が可撓性を有する素材で形成されてなることを特徴とする前項１〜４のいずれかに記載の水跳ね防止具。
【００１３】
［６］  全体が透明材料で形成されてなることを特徴とする前項１〜５のいずれかに記載の水跳ね防止具。
【００１４】
［７］  前記固定部は、取り付けられた際に前記側板の外側面に配される下端部が外方に屈曲して形成されることを特徴とする前項１〜６のいずれかに記載の水跳ね防止具。
【発明の効果】
【００１５】
上記［１］に記載の発明によれば、四周側板及び底板を有する水槽に取り付けられる水跳ね防止具であって、側板の上縁部に取付固定される固定部と、固定部から離間した下方位置で側板の幅方向に延び、先端部において側板の内側面に当接するヒレ状片と、を備え、ヒレ状片が可撓性を有する素材からなるので、水跳ねが生じた場合であっても、ヒレ状片の先端部が固定部から下方に離間した位置で側板の内側面に当接する構成により、側板の内側面に沿ってヒレ状片よりも上方に水が上昇する虞が低減するため、水槽内で跳ねた水が側部と固定部との隙間に入り込んで側板の外側面に伝い水が発生する可能性が大幅に低減する。
【００１６】
ヒレ状片が可撓性を有する素材からなるので、魚類が飛び跳ねた際などに、最も水面に近い位置にあるヒレ状片に魚類が接触するなどしてキズや擦れなどが生じる虞を低減させることができる。
【００１７】
上記［２］に記載の発明によれば、固定部から水槽内側に向かって延設され、蓋板を載置可能に形成された蓋支持部を備えるので、載置された蓋板の荷重が水跳ね防止具に加わることによって、水跳ね防止具が上方から押さえ込まれるようになるため、何らかの要因により水跳ね防止具がずれるなどすることがない。
【００１８】
上記［３］に記載の発明によれば、ヒレ状片は、先端部へ向かって薄肉に形成されるので、ヒレ状片の先端部がより柔軟性を増すため、個体差などによって側板の内側面に当接し難い部位があった場合であっても、ヒレ状片の柔軟性を活かしてヒレ状片の先端部が側板の内側面に押し当てられるように密着した状態で取り付けることができるため、確実にヒレ状片を側板の内側面に当接させた状態に取り付けることができる。
【００１９】
上記［４］に記載の発明によれば、ヒレ状片は、側板の幅方向全域に亘って形成されるので、水槽内で跳ねた水がよりヒレ状片に当たり易くなるため、水槽外への水跳ねをより確実に防止することができる。
【００２０】
上記［５］に記載の発明によれば、全体が可撓性を有する素材で形成されてなるので、可撓性を活かして厚み寸法の異なる側板に対応して固定部を取り付けることができるため汎用性が高い。
【００２１】
上記［６］に記載の発明によれば、全体が透明材料で形成されてなるので、水槽の外観を損ねることがなく、見栄えがよい。
【００２２】
上記［７］に記載の発明によれば、固定部は、取り付けられた際に側板の外側面に配される下端部が外方に屈曲して形成されるので、万が一、生じた水跳ねにより側板の外側面に水が漏れ出た場合であっても、外方に屈曲した固定部の端部を伝って水が漏れ出るため側板の外側面に水が伝い落ちることがなく、水槽の外観を損ねることがない。
【図面の簡単な説明】
【００２３】
【図１】本発明の水跳ね防止具の水槽への取り付け方法を説明するための説明図である。
【図２】本発明の水跳ね防止具が水槽に取り付けられた状態を示す説明図である。
【図３】本発明の水跳ね防止具を側板に取り付けた状態における断面図である。
【図４】本発明の別実施形態に係る水跳ね防止具を側板に取り付けた状態における断面図である。
【発明を実施するための形態】
【００２４】
以下、図面を参照して、本発明の実施形態について説明する。
【００２５】
図１は、水跳ね防止具２の使用方法について説明するための説明図、図２は、水跳ね防止具２が水槽１に取り付けられた状態を示す説明図、図３は、水跳ね防止具２を側板１１，１２，１３，１４に取り付けた状態における断面図、図４は、別実施形態に係る水跳ね防止具３を側板１１，１２，１３，１４に取り付けた状態における断面図である。
【００２６】
図１は、本発明の水跳ね防止具２の一例であり、四周側板１１，１２，１３，１４及び底板１５を有する水槽１に取り付けられて用いられるものである。
【００２７】
以下、図１〜３に基づいて水跳ね防止具２について説明する。
【００２８】
図示する水槽１は、内側に水を注入して観賞魚類などの水棲生物を飼育し、観賞するための観賞魚用水槽１として説明する。
【００２９】
以下では、説明の便宜上、観賞される側を前面側（前側）、その対面側を後面側（後側）或いは背面側、前面側から見て左右を左右とし、図１，２によれば、側板１１を観賞される側（前面側）とする。また、水槽１内側の面を内側面Ａ、水槽１外側の面を外側面Ｂとして説明する。
【００３０】
水槽１は、前側板１１、左側板１２、右側板１３、後側板１４及び底板１５を備え、その上部が開口した直方体状に形成されている。
【００３１】
四周側板１１，１２，１３，１４及び底板１５には、板状の透明ガラスが採用され、その板厚は、約３ｍｍ〜６ｍｍに設定されている。
【００３２】
透明ガラスには、例えば、高透過ガラスやフロートガラスなど、水槽１の内部が観賞できるよう透過性を有するガラスが用いられる。
【００３３】
水跳ね防止具２は、魚類が跳ねたり、地震などにより揺れたりすることによって水槽１内の水が水槽１外に飛び出すなどすることを防止するために、水槽１の側板１１，１２，１３，１４の上縁部１６に取付固定されて用いられる。
【００３４】
この例では、水跳ね防止具２は、図示するように１つの水槽１に対して４つ設けられ、最長寸法が各側板１１，１２，１３，１４のそれぞれの幅寸法と等しい長さに設定されて、各側板１１，１２，１３，１４のそれぞれの上縁部１６に対して着脱可能に取り付けられる。
【００３５】
水跳ね防止具２の両端部は、隣接する水跳ね防止具２と隙間なく配置させるために、水跳ね防止具２を水槽１に取り付けた際の外側となる角部から４５度に傾斜した角度となるようカットされた形状が望ましいが、水跳ね防止具２の両端部が、水槽１の両側面に当接するように構成されるのであってもよい。
【００３６】
水跳ね防止具２は、この例では、その全体が合成樹脂やシリコーン樹脂などの可撓性を有する素材からなり、例えば、透明な樹脂材料などの材料を用いて押出成型によって断面形状が一定の成形品として成形される。
【００３７】
水跳ね防止具２は、単一の材料を用いた押出成型によって成形されることにより、容易に成形することができるとともに、安価に製造することが可能となる。
【００３８】
水跳ね防止具２は、全体が可撓性を有する素材で形成されてなるので、可撓性を活かして厚み寸法の異なる側板１１，１２，１３，１４に対応して固定部２１を取り付けることができるため汎用性が高い。
【００３９】
また、水跳ね防止具２は、全体が透明材料で形成されてなるので、水槽１の外観を損ねることがなく、見栄えがよい。
【００４０】
水跳ね防止具２は、側板１１，１２，１３，１４の上縁部１６に取付固定される固定部２１と、ヒレ状片２２と、湾曲部２３と、を備える。
【００４１】
図３に示すように、固定部２１は、側板１１，１２，１３，１４の上縁部１６に対して上方から嵌合可能に形成されてなる溝部２１１が設けられている。
【００４２】
溝部２１１は、側板１１，１２，１３，１４の内側面Ａ及び外側面Ｂをそれぞれ挟持する内板部２１２及び外板部２１３と、内板部２１２と外板部２１３に架け渡された上板部２１４と、を有し、横断面が略コ字状に形成されている。
【００４３】
上板部２１４は、固定部２１が側板１１，１２，１３，１４の上縁部１６に取り付けられた状態で、側板１１，１２，１３，１４の上縁端部１６１と略平行となるように形成され、側板１１，１２，１３，１４の厚み寸法と略同等の寸法に設定される。
【００４４】
内板部２１２は、側板１１，１２，１３，１４の内側面Ａに沿って平行に形成され、内板部２１２の内側面の全面が側板１１，１２，１３，１４の内側面Ａと密着するように構成される。
【００４５】
外板部２１３は、その中間部が外側方向に突出した曲面状に形成され、側板１１，１２，１３，１４の外側面Ｂに外板部２１３の端部２１３ａ側の一部のみが当接するように構成されている。
【００４６】
外板部２１３は、側板１１，１２，１３，１４の外側面Ｂに略対向する面となるように外板部２１３の端部２１３ａから上方に傾斜する傾斜面（図中、端部２１３ａから上端２１３ｂにかけた面）が形成され、当該傾斜面は、その上端２１３ｂが溝部２１１の最も内側に位置するように形成されている。
【００４７】
外板部２１３の端部２１３ａに設けられた傾斜面の上端２１３ｂが、側板１１，１２，１３，１４の外側面Ｂに当接する当接部２１３ｂであり、外板部２１３は、この例では、当接部２１３ｂの１点のみが側板１１，１２，１３，１４の外側面Ｂに当接するよう構成されている。
【００４８】
更に、この例では、固定部２１には、その内側に水槽１の上部を覆う蓋板１７を支持するための蓋支持部２４が突設されている。
【００４９】
蓋支持部２４は、固定部２１から水槽１内側に向かって水平方向に延設され、蓋板１７を載置可能に形成されている。
【００５０】
例えば、蓋支持部２４は、固定部２１から水槽１内側方向に板状で水平に約２０ｍｍ以上突出して設けられている。
【００５１】
蓋支持部２４の端部には、蓋支持部２４が載置される支持面２４１から直角下向きに一部が屈曲形成された屈曲部２４２が設けられている。
【００５２】
このように屈曲部２４２が設けられることによって、蓋支持部２４の端部の強度を向上させることができる。
【００５３】
固定部２１から水槽１内側に向かって水平方向に延設され、蓋板１７を載置可能に形成された蓋支持部２４を設けるので、載置された蓋板１７の荷重が水跳ね防止具２に加わることによって、水跳ね防止具２，３が上方から押さえ込まれるようになるため、何らかの要因により水跳ね防止具２がずれるなどすることがない。
【００５４】
蓋支持部２４の下部には、後述する湾曲部２３の一部が一体的に設けられている。
【００５５】
ヒレ状片２２は、固定部２１よりも下方に位置し、水槽１の側板１１，１２，１３，１４の内側面Ａに当接する先端部２２１を有する。
【００５６】
ヒレ状片２２は、側板１１，１２，１３，１４の上縁部１６の長さと略等しい、即ち、側板１１，１２，１３，１４の各幅寸法全域に亘る板状体からなり、固定部２１とは離間した状態で設けられている。
【００５７】
図３に示す固定部２１が側板１１，１２，１３，１４の上縁部１６に取り付けられた状態での断面視のように、ヒレ状片２２は、固定部２１の内板部２１２の下端部との間に、例えば、断面視で三角形状の空隙２５が設けられて形成されている。
【００５８】
ヒレ状片２２は、側板１１，１２，１３，１４へ向かって徐々に薄肉になるよう形成され、最も薄肉となる先端部２２１が側板１１，１２，１３，１４の内側面Ａに当接するように構成されている。
【００５９】
この例では、ヒレ状片２２の先端部２２１の厚みが１ｍｍ程度の薄さに設定されているため、先端部２２１が側板１１，１２，１３，１４の内側面Ａに僅かに当接するだけの構成であることから、側板１１，１２，１３，１４の内側面Ａに跳ね返った水槽１内の水が、毛細管現象などによってヒレ状片２２の先端部２２１と側板１１，１２，１３，１４との間を伝って上昇することを防止する。
【００６０】
更に、ヒレ状片２２と固定部２１との間に空隙２５が設けられていることから、万が一、ヒレ状片２２の先端部２２１と側板１１，１２，１３，１４との間を伝って跳ね返った水槽１内の水が上昇したとしても、固定部２１まで水が到達する虞が大幅に低減するため、側板１１，１２，１３，１４の外側面Ｂに伝い水が生じることを防止することができる。
【００６１】
ヒレ状片２２は、側板１１，１２，１３，１４の幅方向全域に亘って形成されるので、水槽１内で跳ねた水がよりヒレ状片２２に当たり易くなるため、水槽１外への水跳ねをより確実に防止することができる。
【００６２】
ヒレ状片２２は、先端部２２１へ向かって薄肉に形成されるので、ヒレ状片２２の先端部２２１がより柔軟性を増すため、個体差などによって側板１１，１２，１３，１４の内側面Ａに当接し難い部位があった場合であっても、ヒレ状片２２の柔軟性を活かしてヒレ状片２２の先端部２２１が側板１１，１２，１３，１４の内側面Ａに押し当てられるように密着した状態で取り付けることができるため、確実にヒレ状片２２を側板１１，１２，１３，１４の内側面Ａに当接させた状態に取り付けることができる。
【００６３】
ヒレ状片２２の側板１１，１２，１３，１４の内側面Ａから離間する側には、湾曲状に延びる湾曲部２３が連続して設けられている。
【００６４】
湾曲部２３は、ヒレ状片２２から水槽１の内側方向へ連続して湾曲状に延びて形成されている。
【００６５】
湾曲部２３は、湾曲状に延びた端部がヒレ状片２２よりも上方に位置するよう形成され、一例として、上方に突出するよう湾曲して形成されている。
【００６６】
湾曲部２３は、水槽１の内側に配置された端部側の上側面が固定部２１から水平方向に延びてなる蓋支持部２４と一体的に成形されている。
【００６７】
湾曲部２３の中間位置の上側面には、固定部２１から水槽１の内側方向に延び、蓋支持部２４の下方で蓋支持部２４と平行して設けられた補助部２３１が一体的に設けられている。
【００６８】
湾曲部２３は、蓋支持部２４及び補助部２３１によって、その全体が支持されるよう構成されている。
【００６９】
湾曲部２３は、この例では、水槽１の側板１１，１２，１３，１４の内側面Ａに対して２０度の傾斜角度で上方に傾斜するよう設定されており、水槽１内で跳ね返って湾曲部２３に当たった水がヒレ状片２２に自然に流れ落ちるように構成されている。
【００７０】
湾曲部２３は、その中間部が上方へ突出するように湾曲しているので、水槽１内で跳ねた水が湾曲部２３の下側面に当たって、重力によって自然に下方（ヒレ状片２２方向）に流れ落ちるようになるため、水槽１外への水跳ねをより確実に防止することができる。
【００７１】
蓋支持部２４と補助部２３１の間は、中空状の中空部２６が形成されており、これにより水跳ね防止具２が軽量化されている。
【００７２】
上述した水跳ね防止具２は、固定部２１の外板部２１３が外側方向に突出した曲面状に形成される様に説明したが、その他の形状に形成されるのであってもよい。
【００７３】
例えば、図４に示す水跳ね防止具３のように、外側方向に突出した曲面状に形成された外板部３１３の端部３１３ａが、外側方向に屈曲した形状に形成されるのであってもよい。
【００７４】
以下、特に記載がない部位に関しては、先の実施形態における水跳ね防止具２の構造と同一とする。
【００７５】
この場合、外板部３１３の端部３１３ａが外側方向に屈曲していることにより、外板部３１３は、３１３ｂ（当接部）でのみ側板１１，１２，１３，１４の外側面Ｂに当接することになる。
【００７６】
このように構成されることによって、例えば、地震などの大きな揺れにより水槽１内の水が大きく跳ね飛んで固定部２１と側板１１，１２，１３，１４との隙間に入り込み、側板１１，１２，１３，１４の外側面Ｂに伝い水が生じた場合であっても、当接部３１３ｂを通過した水が外側方向に屈曲した外板部３１３の端部３１３ａを伝うため、側板１１，１２，１３，１４の外側面Ｂへの伝い漏れを防止することができ、側板１１，１２，１３，１４に伝い水の跡が残るなどして水槽１の外観を損なうことがない。
【００７７】
固定部３１は、取り付けられた際に側板１１，１２，１３，１４の外側面Ｂに配される下端部３１３ａが外方に屈曲して形成されるので、万が一、生じた水跳ねにより側板１１，１２，１３，１４の外側面Ｂに水が漏れ出た場合であっても、外方に屈曲した固定部３１の端部３１３ａを伝って水が漏れ出るため側板１１，１２，１３，１４の外側面Ｂに水が伝い落ちることがなく、水槽１の外観を損ねることがない。
【００７８】
上述した水跳ね防止具２，３は断面形状が一定の形状に成形されたものとして説明したが、これに限定されるものではなく、少なくともヒレ状片２２，３２及び蓋支持部２４，３４を備える構成であればよい。
【００７９】
上述では、水跳ね防止具２，３の全体が可撓性を有する素材からなるよう説明したが、これに限定されるものではない。
【００８０】
例えば、水跳ね防止具２，３の一部のみが可撓性を有する素材で構成されるのであってもよく、少なくとも側板１１，１２，１３，１４の内側面Ａと当接する先端部２２１，３２１を有するヒレ状片２２，３２が可撓性を有する素材からなるのであればよい。
【００８１】
ヒレ状片２２，３２が可撓性を有する素材で形成されていれば、最も水面に近い位置にあるヒレ状片２２，３２に跳ねた魚類が接触するなどして傷つくなどする虞が低減するからである。
【００８２】
ヒレ状片２２，３２のみが可撓性を有する素材からなる場合には、硬度の異なる複数の材料を用いて押出成型などにより成形され、水跳ね防止具２，３の全体の剛性を十分に保ちながらも、ヒレ状片２２，３２の柔軟性を活かして、確実にヒレ状片２２，３２を側板１１，１２，１３，１４の内側面Ａに当接させた状態に取り付けられる水跳ね防止具２，３を得ることができる。
【００８３】
例えば、水跳ね防止具２，３は、硬度が同一の複数の材料を用いて成形されるのであってもよい。
【００８４】
尚、水跳ね防止具２，３に用いられる素材は、硬過ぎると水槽１の側板１１，１２，１３，１４の内側面Ａに密着するように変形しないため好ましくなく、蓋支持部２４，３４を備える場合などには、柔らか過ぎる素材が用いられると蓋板１７を支持できなくなり好ましくないため、用途に応じた好適な硬度の素材を適用するとよい。
【００８５】
また、上述したように、水跳ね防止具２，３は、水槽１の外観を損ねることがなく、見栄えがよいことから全体が透明素材で形成されることが好ましいが、有色など不透明の素材を用いて形成されるのであってもよい。
【００８６】
上述では、水跳ね防止具２，３の最長寸法が、側板１１，１２，１３，１４の幅寸法に等しい長さに設定されるよう説明したが、これに限定されるものではなく、例えば、側板１１，１２，１３，１４の中央部にのみ水跳ね防止具２，３が取り付けられるような構成であっても良いし、１つの側板１１，１２，１３，１４に複数の水跳ね防止具２，３が取り付けられるように構成されるのであっても良い。
【００８７】
上述では、水跳ね防止具２，３が蓋支持部２４，３４を備えるよう説明したが、蓋支持部２４，３４を備えずに、少なくとも水跳ねを防止するように構成されたものとするのであってもよい。
【００８８】
以上説明した水跳ね防止具２，３は、四周側板１１，１２，１３，１４及び底板１５を有する水槽１に取り付けられる水跳ね防止具２，３であって、側板１１，１２，１３，１４の上縁部１６に取付固定される固定部２１，３１と、固定部２１，３１から離間した下方位置で側板１１，１２，１３，１４の幅方向に延び、先端部２２１，３２１において側板１１，１２，１３，１４の内側面Ａに当接するヒレ状片２２，３２と、を備え、ヒレ状片２２，３２が可撓性を有する素材からなるので、水跳ねが生じた場合であっても、ヒレ状片２２，３２の先端部２２１，３２１が固定部２１，３１から下方に離間した位置で側板１１，１２，１３，１４の内側面Ａに当接する構成により、側板１１，１２，１３，１４の内側面Ａに沿ってヒレ状片２２，３２よりも上方に水が上昇する虞が低減するため、水槽１内で跳ねた水が側部と固定部２１，３１との隙間に入り込んで側板１１，１２，１３，１４の外側面Ｂに伝い水が発生する可能性が大幅に低減する。
【００８９】
ヒレ状片２２，３２が可撓性を有する素材からなるので、魚類が飛び跳ねた際などに、最も水面に近い位置にあるヒレ状片２２，３２に魚類が接触するなどしてキズや擦れなどが生じる虞を低減させることができる。
【００９０】
更に、水跳ね防止具２，３は、固定部２１，３１から水槽１内側に向かって延設され、蓋板１７を載置可能に形成された蓋支持部２４，３４を備えることにより、載置された蓋板１７の荷重が水跳ね防止具２，３に加わることによって、水跳ね防止具２，３が上方から押さえ込まれるようになるため、何らかの要因により水跳ね防止具２，３がずれるなどすることがない。
【００９１】
以上説明した実施形態は、本発明の一例に過ぎず、本発明の作用効果を奏する範囲において具体的構成などを適宜設計変更できることは言うまでもない。
【産業上の利用可能性】
【００９２】
本発明は、水槽の側板の上縁部に取り付けられて、水槽内の水跳ねを防止するために用いられる。
【符号の説明】
【００９３】
１…水槽
２，３…水跳ね防止具
１１，１２，１３，１４…側板
１５…底板
１６…上縁部
１７…蓋板
２１，３１…固定部
２２，３２…ヒレ状片
２３，３３…湾曲部
２４，３４…蓋支持部
２５，３５…空隙
２２１，３２１…先端部
Ａ…内側面
Ｂ…外側面
【図１】
2016154476.tif 000003
【図２】
2016154476.tif 000004
【図３】
2016154476.tif 000005
【図４】
2016154476.tif 000006